(57)【要約】【課題】人が水中で推進しようとする場合に充分な水掻き能力を有する一方、水の抵抗が大きくなり過ぎないように水抵抗を逃がす機能を備え、手先の自由が利きやすく充分な強度も有した水掻き補助具を提供する。【解決手段】人の手の５本の指に装着して用いる水掻き補助具であって、５本の指をそれぞれ別個に挿入可能な親指用筒部、人差し指用筒部、中指用筒部、薬指用筒部および小指用筒部を備え、５つの筒部１〜５における隣り合う筒部同士は、それぞれ、外周弧と内周弧を有する略扇状台形の水掻き部１１〜１４によって同一平面に接続され、且つ該水掻き部は該筒部よりも外周側に突出して形成され、左右のいずれの手に装着しても同一形状となる対称構造である水掻き補助具。【選択図】図１
0003190210.tif 000002
【実用新案登録請求の範囲】
【請求項１】
人の手の５本の指に装着して用いる水掻き補助具であって、
該水掻き補助具は、５本の指をそれぞれ別個に挿入可能な親指用筒部、人差し指用筒部、中指用筒部、薬指用筒部および小指用筒部を備え、
５つの前記筒部における隣り合う筒部同士は、それぞれ、外周弧と内周弧を有する略扇状台形の水掻き部によって同一平面に接続され、且つ該水掻き部の外周弧は該筒部よりも外周側に突出して形成され、
該水掻き補助具は左右のいずれの手に装着しても同一形状となる対称構造であることを特徴とする水掻き補助具。
【請求項２】
前記水掻き部の外周弧と、前記筒部の外周部とは連続した曲線形状である請求項１に記載の水掻き補助具。
【請求項３】
前記外周弧の中心と前記内周弧の中心を結ぶ前記水掻き部の仮想線上には、両側から凹加工された溝条部が含まれている請求項１又は２に記載の水掻き補助具。
【請求項４】
前記溝条部は前記外周弧の周辺部分および前記内周弧の周辺部分には形成されておらず、前記仮想線に対し７５〜８７％の長さで前記仮想線上の中央部分に形成されている請求項３に記載の水掻き補助具。
【請求項５】
シリコン系ゴム材料からなる請求項１〜４のいずれかに記載の水掻き補助具。
【考案の詳細な説明】
【技術分野】
【０００１】  本考案は、水泳やサーフィン、シュノーケリング、アクアビクス、水中ウォーキング、川遊び等のウォーターアクティビティを行う際に、人の指に装着して大容量の水を掻きやすくする水掻き補助具に関する。
【背景技術】
【０００２】  人がプール等の水中で移動、推進しようとする場合、水底を足で歩くか水中を泳ぐことが一般的である。泳ぐことを補助するために大きな足ヒレを履くことはシュノーケリングやダイビングの分野においてよくなされているが、手に大きなヒレをつけて水中を推進しようとすることはほとんどなされていない。【０００３】  一方、手で水を掻くときの抵抗を大きくするために、手の指に水掻き補助具を装着する発明がある。特許文献１には、手の親指以外の隣り合う２本の指のそれぞれが挿通される筒状部と、該筒状部の間を連結する板状の水掻き部とを備えた水掻き補助具が記載されている。また、特許文献２には、ゴムシートを手を広げた指先の先端を結んだ外周ラインでカットし、このゴムシートの表面に親指〜小指の５本の指を挿入する円筒状のゴム筒を付け、親指と人差し指の間にゴムバンドを縫いつけたカッパの水掻きが記載されている。さらに、特許文献３には、手の甲側を全面的に覆うシート状の水かき部と、水かき部の裏面に設けられ各指を挿入して指を固定する指止め部と、手首に取り付けるバンド部とを備えた水泳補助具が記載されている。
【先行技術文献】
【特許文献】
【０００４】
【特許文献１】特開２０１０−１２４９３０号公報
【特許文献２】特開２００１−１０４５１７号公報
【特許文献３】特開２０００−１１６８１９号公報
【考案の概要】
【考案が解決しようとする課題】
【０００５】  しかし、特許文献１のように水掻き補助具を２本の指に取り付けるだけでは、水掻き能力は不十分であるし、使用中に水掻き補助具が指から外れてしまうという問題がある。また、特許文献２のようにゴムシートをカットしたものでは、手全体が水掻き部になってしまい水の抵抗が大きくなり過ぎるし、手の平側に水掻き部が形成されることで手先の自由が利きにくくなり、ゴムバンドで手が固定されていることで手の自由が奪われ、危険な場合がある。また、特許文献３でも、特許文献２と同様、手全体が水掻き部になってしまい水を逃がす部分がないことから水の抵抗が大きくなり過ぎるし、さらに、特許文献３では、水掻き部が手の甲側に形成されているため、特許文献３の図３のように指を折り曲げた状態において水掻き部が指と共に折り曲げられず、その出っ張り部分が他人の顔などに接触し、危険な場合がある。【０００６】  本考案は上述の課題を解決するものであり、人が水中で推進しようとする場合に充分な水掻き能力を有する一方、水の抵抗が大きくなり過ぎないように水抵抗を逃がす機能を備え、さらに、複雑な構成がなくても手に安定的に装着し続けることができ、加えて手先の自由が利きやすく、安全で、充分な強度と形状的審美性も有した水掻き補助具を提供するものである。
【課題を解決するための手段】
【０００７】  本考案者らは上記課題に鑑みて鋭意検討し、以下の考案を創作した。すなわち、本考案は、人の手の５本の指に装着して用いる水掻き補助具であって、該水掻き補助具は、５本の指をそれぞれ別個に挿入可能な親指用筒部、人差し指用筒部、中指用筒部、薬指用筒部および小指用筒部を備え、５つの前記筒部における隣り合う筒部同士は、それぞれ、外周弧と内周弧を有する略扇状台形の水掻き部によって同一平面に接続され、且つ該水掻き部の外周弧は該筒部よりも外周側に突出して形成され、該水掻き補助具は左右のいずれの手に装着しても同一形状となる対称構造であるものである。【０００８】  このように、略扇状台形の水掻き部とそれにより接続された５本の指挿入用の筒部からなる水掻き補助具とし、外周弧が突出した構造とすることで、水中において充分な水掻き能力を発揮することができると共に、略扇状台形の内周弧と指の付け根の間に確保される空間により過度な水抵抗を逃がすことが可能となる。【０００９】  本考案においては、前記水掻き部の外周弧と、前記筒部の外周部とは連続した曲線形状であることが好ましく、このような形状にすることで、充分な水掻き力を確保できると共に、曲線が連続する形状が審美性を奏することにもなる。【００１０】  本考案において、前記外周弧の中心と前記内周弧の中心を結ぶ前記水掻き部の仮想線上には、両側から凹加工された溝条部が含まれていることが好ましい。また、前記溝条部は、前記外周弧の周辺部分および前記内周弧の周辺部分には形成されておらず、前記仮想線に対し７５〜８７％の長さで前記仮想線上の中央部分に形成されていることが、手に安定的に装着し続ける効果をさらに増大させ、また、より充分な強度を確保する点で好ましい。【００１１】  本考案においては、前記水掻き部には両側から凹凸加工が施されていてもよく、また、水掻き補助具はシリコン系ゴム材料で形成されているのが好ましい。
【考案の効果】
【００１２】  本考案は請求項１に係る考案構成とすることで、人が水中で推進しようとする場合に充分な水掻き能力を有する一方、水の抵抗が大きくなり過ぎないように水抵抗を逃がすことも可能な水掻き補助具とすることができ、さらに、ゴムバンド等の複雑な構成を有さなくても手に安定的に装着し続けることができ、手先の自由が利きやすく、安全で、充分な強度を有した水掻き補助具とすることができる。
【図面の簡単な説明】
【００１３】
【図１】手に本考案の水掻き補助具を装着した平面図である。
【図２】水掻き補助具を下側から見た斜視図である。
【図３】水掻き補助具を上側から見た斜視図である。
【図４】水掻き補助具の平面図である。
【図５】水掻き補助具の底面図である。
【図６】水掻き補助具の正面図である。
【図７】水掻き補助具の背面図である。
【図８】水掻き補助具の右側面図である。
【図９】水掻き補助具の左側面図である。
【図１０】水掻き補助具の使用状態を示す図である。
【考案を実施するための形態】
【００１４】  以下、本考案の実施形態を図面を参照しながら説明する。図１は、手に本考案の水掻き補助具を装着した際の状態を示す図であり、左手の甲側から見た図、又は右手の手の平側から見た図である。また、図２は水掻き補助具を下側から見た斜視図、図３は水掻き補助具を上側から見た斜視図、図４は水掻き補助具の平面図、図５は水掻き補助具の底面図、図６は水掻き補助具の正面図、図７は水掻き補助具の背面図、図８は水掻き補助具の右側面図、図９は水掻き補助具の左側面図、図１０は水掻き補助具の使用状態を示す図である。
【００１５】  本考案の水掻き補助具は、５本の指をそれぞれ別個に挿入可能な親指用筒部１、人差し指用筒部２、中指用筒部３、薬指用筒部４および小指用筒部５を備えており、５つの筒部１〜５における隣り合う筒部同士は、それぞれ、略扇状台形の水掻き部１１〜１４によって同一平面に接続されている。具体的には、親指用筒部１と人差し指用筒部２は水掻き部１１により、人差し指用筒部２と中指用筒部３は水掻き部１２により、中指用筒部３と薬指用筒部４は水掻き部１３により、薬指用筒部４と小指用筒部５は水掻き部１４により、それぞれ接続されている。また、上記水掻き部１１〜１４は筒部１〜５よりも外周側に突出して形成されている。
【００１６】  上記略扇状台形の水掻き部１１〜１４はそれぞれ外周弧と内周弧を有しており、外周弧の中心と内周弧の中心を結ぶ仮想線上には表と裏の両側から凹加工された溝条部２１〜２４が含まれている。さらに、上記水掻き補助具は左右のいずれの手に装着しても同一形状となる対称構造となっている。また、上記水掻き部の外周弧と上記筒部の外周部とは連続した曲線形状となっており、外周弧は外側にカーブを描き、筒部は内側にカーブを描くようになっている。
【００１７】  上記筒部１〜５は、指が挿入されると共に挿入された指を保持、固定できるような形状が好ましく、その一例として、内周側から外周側に向けて内径が小さくなる形状が好ましい。また、挿入された指を筒部の内周面で止めるために、筒部の内周面に滑り止め機能を有する凹凸加工を施しても良いし、滑り止めの材料を用いてもよい。筒部１〜５の材料として、ビニールやゴム、合成樹脂などのように柔らかく、耐水性を有するものであれば適するが、強度や手の装着感、滑り止めの観点からシリコン系のゴム材料が特に好ましい。
【００１８】  上記水掻き部１１〜１４は、筒部１〜５を接続するものであると共に、水を掻く部分であるため、耐水性及び物理的強度を有する必要がある。一方で、強度確保のために分厚くしてしまうと、手の自由が利かなくなる場合があるので、厚さとしては０．５〜４ｍｍが好ましく、１〜３ｍｍが特に好ましい。なお、水掻き部と筒部を一体的に同じ素材で形成する場合は、筒部は水掻き部と同じ厚さであることが好ましい。
【００１９】  この水掻き部１１〜１４は図１〜１０に示される形状であり、外周弧と内周弧を有した略扇状台形である。このように、水掻き部の外周部を外周に突出する円弧状とすることで、より多くの水を掻くことができると共に、曲線により意匠性を持たせることができる。また、水掻き部に内周部を設けることで、人が水掻き補助具を手に装着した際、指の付け根と上記内周部との間に空間が形成され、この空間が水中において過度の水抵抗を逃がす機能を果たすことができる。
【００２０】  上記外周弧の中心と内周弧の中心を結ぶ仮想線上には凹加工された溝条部２１〜２４が含まれている。ここでの中心とは、必ずしも両隣の筒部から常に等距離にあることを意味するのではなく、上記仮想線を折り目として水掻き部を折り曲げた場合に、筒部同士が重なることを満たす位置である。
【００２１】  溝条部２１〜２４は、水掻き部１１〜１４に直線的に加工された溝である。溝が形成されていることで、水掻き部１１〜１４の部分で折り曲げられ、水掻き補助具を手に装着して手を広げたり握ったりする水泳動作を行った場合でも手の自由を充分に確保することができる。この溝条部２１〜２４は、水掻き部１１〜１４の表裏両側から形成されていることが好ましい。手の動作により山折及び谷折に対応できると共に、左右両方の手に用いることができるためである。
【００２２】  また、溝条部２１〜２４は、水掻き部１１〜１４における上記仮想線上に形成されていればよいが、その位置は仮装線全体の中央部分であることが好ましく、仮装線に対し７５〜８７％の長さであることが好ましい。仮装線の両端部にまで溝条部を設けるのに比べて、素材にもよるが水掻き部の水中における強度が充分に確保できるからである。溝条部が形成された部分における水掻き部の厚さは、それが形成されていないところの１０〜６０％がよく、２０〜５０％が好ましい。溝条部の断面形状は半円状や長方形が好ましい。また、上記水掻き部１１〜１４の外周弧と内周弧には、強度確保用の厚幅部分を設けるのがさらに好ましい。
【００２３】  上記のような水掻き補助具は一般的なゴム成形により製作することができ、金型を用いた直圧成形や射出成形などにより実現することができる。
水掻き部１１〜１４には、表と裏の両側から微細な凹凸加工（図示せず）を形成すると水に対する抵抗が大きくなり、水掻きの補助具であっても大きな水掻き能力を発揮することが可能となる。凹凸加工のサイズとしては、１〜３ｍｍのものが１〜３ｍｍピッチで形成されているのが好ましい。
【００２４】  本考案の水掻き補助具は、一定の形状を維持できる柔らかい材料であれば実施できるが、特に、シリコン系材料が好ましい。また、透明でも半透明でも非透明でもよいが、半透明の方が美感、安全面などの点から好ましい。
【００２５】  以上説明したように、本考案においては、水掻き部１１〜１４が外周に突出するような略扇状台形であるため、人が水中で推進しようとする場合に充分な水掻き能力を有することができ、さらに、水の抵抗が大きくなり過ぎないように水抵抗を逃がすことも可能であり、手先の自由が利きやすく、充分な強度をも備える水掻き補助具とすることができる。
【符号の説明】
【００２６】１〜５      ：筒部
１１〜１４  ：水掻き部
２１〜２４  ：溝条部
【図１】
0003190210.tif 000003
【図２】
0003190210.tif 000004
【図３】
0003190210.tif 000005
【図４】
0003190210.tif 000006
【図５】
0003190210.tif 000007
【図６】
0003190210.tif 000008
【図７】
0003190210.tif 000009
【図８】
0003190210.tif 000010
【図９】
0003190210.tif 000011
【図１０】
0003190210.tif 000012